(57)【要約】【課題】通信端末がネットワークを介してサービスを利用する際のセキュリティをより高めること。【解決手段】認証サーバ１０は、電話番号、製造番号、及び第１〜第３のパスワードを対応付けて格納する格納部１２と、携帯電話機３０から送信された電話番号及び製造番号と、格納部１２に格納されている電話番号及び製造番号とが一致するか否かを判定する判定部１３と、判定された電話番号及び製造番号の一致度に基づいて、第１〜第３のパスワードのうち一のパスワードを携帯電話機３０に要求することを決定する決定部１４と、当該決定されたパスワードを携帯電話機３０に要求する送信部１５と、その要求に応じて携帯電話機３０から送信されてきたパスワードと要求されたパスワードとが一致するか否かを判定し、これらのパスワードが一致する場合に携帯電話機３０によるサービスの利用を許諾する許諾部１６とを備える。【選択図】図２
2008225790.tif 000002
【特許請求の範囲】
【請求項１】
通信端末の利用者を識別するための利用者識別情報と、前記通信端末を個別に識別するための端末識別情報とを対応付けて格納する格納手段と、
前記サービスを利用しようとする前記通信端末から前記利用者識別情報及び前記端末識別情報を受信する識別情報受信手段と、
前記識別情報受信手段により受信された利用者識別情報及び端末識別情報と前記格納手段に格納されている利用者識別情報及び端末識別情報とが一致するか否かを判定する判定手段と、
前記判定手段により判定された前記利用者識別情報及び前記端末識別情報の一致度に基づいて、前記通信端末による前記サービスの利用を認証する認証手段とを備える認証サーバ。
【請求項２】
前記格納手段が、前記利用者識別情報と、前記端末識別情報と、前記通信端末に提供可能なサービスを利用するための複数種類のパスワードとを対応付けて格納し、
前記認証手段が、
前記判定手段により判定された前記利用者識別情報及び前記端末識別情報の一致度に基づいて、前記複数種類のパスワードのうち一のパスワードを前記通信端末に要求することを決定する決定手段と、
前記決定手段により決定されたパスワードを前記通信端末に要求するパスワード要求手段と、
前記パスワード要求手段による要求に応じて前記通信端末から送信されてきたパスワードを受信するパスワード受信手段と、
前記パスワード受信手段により受信されたパスワードと前記パスワード要求手段により要求されたパスワードとが一致するか否かを判定し、これらのパスワードが一致する場合に前記通信端末による前記サービスの利用を許諾する許諾手段とを備える、
請求項１に記載の認証サーバ。
【請求項３】
前記決定手段が、前記識別情報受信手段により受信された利用者識別情報及び端末識別情報の組合せが前記格納手段により格納されている場合には所定のパスワードを前記通信端末に要求することを決定し、当該組合せが前記格納手段により格納されていない場合には当該所定のパスワードとは異なる別パスワードを前記通信端末に要求することを決定する、請求項２に記載の認証サーバ。
【請求項４】
前記別パスワードは、前記識別情報受信手段により受信された利用者識別情報と前記格納手段により格納されている利用者識別情報とが一致し、且つ前記識別情報受信手段により受信された端末識別情報と対応する別の利用者識別情報が前記格納手段により格納されていない場合には第１の別パスワードとし、前記識別情報受信手段により受信された端末識別情報と対応し、且つ前記識別情報受信手段により受信された利用者識別情報とは異なる別の利用者識別情報が前記格納手段により格納されている場合には第２の別パスワードとする、請求項３に記載の認証サーバ。
【請求項５】
前記決定手段により前記第２の別パスワードを前記通信端末に要求することが決定された場合に、前記別の利用者識別情報を有する他の通信端末に対して、前記第２の別パスワードの要求を許可するか否かを問い合わせる問合せ手段と、
前記問合せ手段による問合せに応じて前記他の通信端末から送信されてきた、前記問合せに対する回答を示す回答通知を受信する回答受信手段とを更に備え、
前記パスワード要求手段が、前記回答受信手段により受信された回答通知が前記第２の別パスワードの要求を許可することを示す場合に、前記第２の別パスワードを前記通信端末に要求する、請求項４に記載の認証サーバ。
【請求項６】
前記サービスを利用しようとする前記通信端末から当該通信端末の現在位置を示す位置情報を受信する位置情報受信手段と、
前記位置情報受信手段により受信された位置情報を前記他の通信端末に送信する位置情報送信手段とを更に備える請求項５に記載の認証サーバ。
【請求項７】
前記決定手段が、前記識別情報受信手段により受信された利用者識別情報及び端末識別情報の組合せが前記格納手段により格納されている場合に、前記所定のパスワードを前記通信端末に要求することを決定するのに代えて、前記通信端末による前記サービスの利用を許諾することを決定し、
前記許諾手段が、前記決定手段による決定に基づいて、当該通信端末による前記サービスの利用を許諾する、請求項２〜６のいずれか一項に記載の認証サーバ。
【請求項８】
通信端末に提供可能なサービスの利用を前記通信端末に認証する認証サーバが、前記通信端末の利用者を識別するための利用者識別情報と、前記通信端末を個別に識別するための端末識別情報とを対応付けて格納する格納ステップと、
前記認証サーバが、前記サービスを利用しようとする前記通信端末から前記利用者識別情報及び前記端末識別情報を受信する識別情報受信ステップと、
前記認証サーバが、前記識別情報受信ステップにおいて受信された利用者識別情報及び端末識別情報と前記格納ステップにおいて格納された利用者識別情報及び端末識別情報とが一致するか否かを判定する判定ステップと、
前記認証サーバが、前記判定ステップにおいて判定された前記利用者識別情報及び前記端末識別情報の一致度に基づいて、前記通信端末による前記サービスの利用を認証する認証ステップとを備える認証方法。
【請求項９】
請求項１に記載の認証サーバと通信可能な通信端末であって、
前記サービスを利用するために、自端末の利用者を識別するための利用者識別情報と、自端末を個別に識別するための端末識別情報とを前記認証サーバに送信する識別情報送信手段と、
前記識別情報送信手段により送信された利用者識別情報及び端末識別情報に基づいて前記認証サーバで前記サービスの利用が認証された場合に、当該認証を取得する認証取得手段とを備える通信端末。
【請求項１０】
通信端末と、前記通信端末に提供可能なサービスの利用を前記通信端末に認証する認証サーバとを備える認証システムであって、
前記認証サーバが、
前記通信端末の利用者を識別するための利用者識別情報と、前記通信端末を個別に識別するための端末識別情報とを対応付けて格納する格納手段と、
前記サービスを利用しようとする前記通信端末から前記利用者識別情報及び前記端末識別情報を受信する識別情報受信手段と、
前記識別情報受信手段により受信された利用者識別情報及び端末識別情報と前記格納手段に格納されている利用者識別情報及び端末識別情報とが一致するか否かを判定する判定手段と、
前記判定手段により判定された前記利用者識別情報及び前記端末識別情報の一致度に基づいて、前記通信端末による前記サービスの利用を認証する認証手段とを備え、
前記通信端末が、
前記サービスを利用するために、前記利用者識別情報と前記端末識別情報とを前記認証サーバに送信する識別情報送信手段と、
前記識別情報送信手段により送信された利用者識別情報及び端末識別情報に基づいて前記認証手段により前記サービスの利用が認証された場合に、当該認証を取得する認証取得手段とを備える、
ことを特徴とする認証システム。
【発明の詳細な説明】
【技術分野】
【０００１】
本発明は、通信端末に提供可能なサービスの利用を当該通信端末に許諾する認証サーバ、認証方法、通信端末及び認証システムに関するものである。
【背景技術】
【０００２】
従来から、通信端末と配信サーバ等の各種サーバとの間の通信のセキュリティを図る手法が知られている。例えば、下記特許文献１には、接続機能のセキュリティ、及び盗難等に対するセキュリティの双方を向上させることができるセキュリティ向上システムが開示されている。このセキュリティ向上システムは、通信端末の固有識別情報や利用者が設定する利用者固有情報を用いることに加えて、接続時間の制御、及び位置情報に基づく機能限定の手法を導入することで、上記二種類のセキュリティを向上させている。
【特許文献１】特開２００６−１１５４３３号公報
【発明の開示】
【発明が解決しようとする課題】
【０００３】
携帯電話機の場合、電話番号がＳＩＭカード（シムカード、Subscriber Identity Module Card）に格納されており、このＳＩＭカードを差し替えることで、利用者自身の電話番号を他の携帯電話機で使用したり、一つの携帯電話機で複数の電話番号を切替えて使用したりすることができる。これにより、利用者が複数の携帯電話機を容易に使い分けることができる反面、利用者のＳＩＭカードが他人に使用される事態も発生し得る。そのため、携帯電話機など、特定の情報を有する記録媒体を着脱可能な通信装置の安全性を更に高めることが求められている。しかし、上記特許文献１に記載のセキュリティ向上システムを用いても、そのような安全性の向上を十分に得ることはできない。
【０００４】
本発明は、上記課題を解決する為になされたものであり、通信端末がネットワークを介してサービスを利用する際のセキュリティをより高めることが可能な認証サーバ、認証方法、通信端末及び認証システムを提供することを目的とする。
【課題を解決するための手段】
【０００５】
本発明の認証サーバは、通信端末の利用者を識別するための利用者識別情報と、通信端末を個別に識別するための端末識別情報とを対応付けて格納する格納手段と、サービスを利用しようとする通信端末から利用者識別情報及び端末識別情報を受信する識別情報受信手段と、識別情報受信手段により受信された利用者識別情報及び端末識別情報と格納手段に格納されている利用者識別情報及び端末識別情報とが一致するか否かを判定する判定手段と、判定手段により判定された利用者識別情報及び端末識別情報の一致度に基づいて、通信端末によるサービスの利用を認証する認証手段とを備える。
【０００６】
また、本発明の認証方法は、通信端末に提供可能なサービスの利用を通信端末に認証する認証サーバが、通信端末の利用者を識別するための利用者識別情報と、通信端末を個別に識別するための端末識別情報とを対応付けて格納する格納ステップと、認証サーバが、サービスを利用しようとする通信端末から利用者識別情報及び端末識別情報を受信する識別情報受信ステップと、認証サーバが、識別情報受信ステップにおいて受信された利用者識別情報及び端末識別情報と格納ステップにおいて格納された利用者識別情報及び端末識別情報とが一致するか否かを判定する判定ステップと、認証サーバが、判定ステップにおいて判定された利用者識別情報及び端末識別情報の一致度に基づいて、通信端末によるサービスの利用を認証する認証ステップとを備える。
【０００７】
また、本発明の通信端末は、上記認証サーバと通信可能な通信端末であって、サービスを利用するために、自端末の利用者を識別するための利用者識別情報と、自端末を個別に識別するための端末識別情報とを認証サーバに送信する識別情報送信手段と、識別情報送信手段により送信された利用者識別情報及び端末識別情報に基づいて認証サーバでサービスの利用が認証された場合に、当該認証を取得する認証取得手段とを備える。
【０００８】
また、本発明の認証システムは、通信端末と、通信端末に提供可能なサービスの利用を通信端末に認証する認証サーバとを備える認証システムであって、認証サーバが、通信端末の利用者を識別するための利用者識別情報と、通信端末を個別に識別するための端末識別情報とを対応付けて格納する格納手段と、サービスを利用しようとする通信端末から利用者識別情報及び端末識別情報を受信する識別情報受信手段と、識別情報受信手段により受信された利用者識別情報及び端末識別情報と格納手段に格納されている利用者識別情報及び端末識別情報とが一致するか否かを判定する判定手段と、判定手段により判定された利用者識別情報及び端末識別情報の一致度に基づいて、通信端末によるサービスの利用を認証する認証手段とを備え、通信端末が、サービスを利用するために、利用者識別情報と端末識別情報とを認証サーバに送信する識別情報送信手段と、識別情報送信手段により送信された利用者識別情報及び端末識別情報に基づいて認証手段によりサービスの利用が認証された場合に、当該認証を取得する認証取得手段とを備える、ことを特徴とする。
【０００９】
このような認証サーバ、認証方法、通信端末及び認証システムによれば、サービスを利用しようとする通信端末から送信されてきた利用者識別情報及び端末識別情報と、予め認証サーバに格納されているこれら識別情報とが比較され、利用者識別情報及び端末識別情報の一致度が判定される。そして、判定された一致度に基づいて、通信端末によるサービスの利用が認証される。このように、認証の際に、利用者識別情報と端末識別情報の一致度を考慮することで、サービスを利用しようとする通信端末の構成に応じた認証が可能になる。すなわち、利用者識別情報を有するもの（例えばＳＩＭカード）と端末識別情報を有するもの（例えば携帯電話機本体）との組み合わせに応じた複数種類の認証を行うことができる。その結果、通信端末がネットワークを介してサービスを利用する際のセキュリティをより高めることが可能になる。また、複数種類の認証が行えることで、その認証に対応したサービスを提供することも可能になる。
【００１０】
本発明の認証サーバでは、格納手段が、利用者識別情報と、端末識別情報と、通信端末に提供可能なサービスを利用するための複数種類のパスワードとを対応付けて格納し、認証手段が、判定手段により判定された利用者識別情報及び端末識別情報の一致度に基づいて、複数種類のパスワードのうち一のパスワードを通信端末に要求することを決定する決定手段と、決定手段により決定されたパスワードを通信端末に要求するパスワード要求手段と、パスワード要求手段による要求に応じて通信端末から送信されてきたパスワードを受信するパスワード受信手段と、パスワード受信手段により受信されたパスワードとパスワード要求手段により要求されたパスワードとが一致するか否かを判定し、これらのパスワードが一致する場合に通信端末によるサービスの利用を許諾する許諾手段とを備えることが好ましい。
【００１１】
この場合、判定された利用者識別情報及び端末識別情報の一致度に基づいて、複数種類のパスワードのうち一のパスワードが選択されて通信端末に対して要求される。その後、その要求に応じて通信端末からパスワードが送信されてくると、そのパスワードと要求したパスワードとが比較され、両パスワードが一致した場合に、通信端末によるサービスの利用が許諾される。このように、認証の際にパスワードを要求することで、通信端末がネットワークを介してサービスを利用する際のセキュリティをより高めることが可能になる。また、二種類の識別情報の一致度に基づいて、要求されるパスワードが決まるので、認証の難易度を変更することができる。その結果、上記セキュリティをより高めることが可能になる。
【００１２】
本発明の認証サーバでは、決定手段が、識別情報受信手段により受信された利用者識別情報及び端末識別情報の組合せが格納手段により格納されている場合には所定のパスワードを通信端末に要求することを決定し、当該組合せが格納手段により格納されていない場合には当該所定のパスワードとは異なる別パスワードを通信端末に要求することを決定することが好ましい。
【００１３】
この場合、受信された利用者識別情報及び端末識別情報の組合せが格納手段に格納されているものと一致する場合と一致しない場合とで、要求されるパスワードが異なるので、上記両識別情報が完全一致する場合としない場合とで異なる認証方法を用いることができる。
【００１４】
本発明の認証サーバでは、別パスワードは、識別情報受信手段により受信された利用者識別情報と格納手段により格納されている利用者識別情報とが一致し、且つ識別情報受信手段により受信された端末識別情報と対応する別の利用者識別情報が格納手段により格納されていない場合には第１の別パスワードとし、識別情報受信手段により受信された端末識別情報と対応し、且つ識別情報受信手段により受信された利用者識別情報とは異なる別の利用者識別情報が格納手段により格納されている場合には第２の別パスワードとすることが好ましい。
【００１５】
この場合、利用者識別情報及び端末識別情報の組合せが格納手段に格納されているものと一致しない場合に要求されるパスワードが、上記各識別情報の一致度により更に細かく設定される。そのため、各識別情報の一致度に応じた認証方法を用いることが可能になる。
【００１６】
本発明の認証サーバでは、決定手段により第２の別パスワードを通信端末に要求することが決定された場合に、別の利用者識別情報を有する他の通信端末に対して、第２の別パスワードの要求を許可するか否かを問い合わせる問合せ手段と、問合せ手段による問合せに応じて他の通信端末から送信されてきた、問合せに対する回答を示す回答通知を受信する回答受信手段とを更に備え、パスワード要求手段が、回答受信手段により受信された回答通知が第２の別パスワードの要求を許可することを示す場合に、第２の別パスワードを通信端末に要求する、ことが好ましい。
【００１７】
この場合、受信された端末識別情報と対応し、且つ受信された利用者識別情報とは異なる別の利用者識別情報が格納手段に存在する場合に、当該別の利用者識別情報を有する他の通信端末に対して、第２の別パスワードの要求を許可するか否かの問合せが行われる。その後、認証サーバが第２の別パスワードの要求を許可することを示す回答通知を受信した場合に、第２の別パスワードが通信端末に対して要求される。これにより、ある利用者が、他人（サービス契約者）が契約したサービスを利用しようとする場合に、当該サービス契約者の利用者識別情報（別の利用者識別情報）に基づいて当該サービス契約者への問合せが行われる。そのため、そのサービス契約者は、契約したサービスが第三者に利用されようとしていることを認識できる。また、そのサービス契約者が第２の別パスワードの要求を許可しなければ、サービスを利用しようとする通信端末に対して第２の別パスワードは要求されない。そのため、第三者によるサービスの利用をより確実に防止できる。その結果、通信端末がネットワークを介してサービスを利用する際のセキュリティを更に高めることが可能になる。
【００１８】
本発明の認証サーバでは、サービスを利用しようとする通信端末から当該通信端末の現在位置を示す位置情報を受信する位置情報受信手段と、位置情報受信手段により受信された位置情報を他の通信端末に送信する位置情報送信手段とを更に備えることが好ましい。
【００１９】
この場合、サービスを利用しようとする通信端末の位置情報が認証サーバを介して他の通信端末に送信される。これにより、他の通信端末の保持者、すなわち、契約したサービスを第三者に利用されようとしているサービス契約者は、当該第三者の所在を知ることができるとともに、当該第三者を追跡する等の対策を行うことが可能となる。その結果、通信端末がネットワークを介してサービスを利用する際のセキュリティを更に高めることが可能になる。
【００２０】
本発明の認証サーバでは、決定手段が、識別情報受信手段により受信された利用者識別情報及び端末識別情報の組合せが格納手段により格納されている場合に、所定のパスワードを通信端末に要求することを決定するのに代えて、通信端末によるサービスの利用を許諾することを決定し、許諾手段が、決定手段による決定に基づいて、当該通信端末によるサービスの利用を許諾することが好ましい。
【００２１】
この場合、通信端末から送信されてきた利用者識別情報及び端末識別情報の組合せが認証サーバに格納されているものと一致する場合に、利用者は、通信端末でのパスワード入力を介することなくすぐにサービスを利用することができる。そのため、サービスの利便性が向上するとともに、認証サーバをより簡易に構成することが可能になる。
【発明の効果】
【００２２】
このような認証サーバ、認証方法、通信端末及び認証システムによれば、通信端末がネットワークを介してサービスを利用する際のセキュリティをより高めることができる。
【発明を実施するための最良の形態】
【００２３】
以下、添付図面を参照しながら本発明の実施形態を詳細に説明する。なお、図面の説明において同一又は同等の要素には同一の符号を付し、重複する説明を省略する。
【００２４】
まず、図１を用いて、実施形態に係る認証システム１について説明する。図１は、認証システム１の全体構成を示す図である。この認証システム１は、認証サーバ１０と、その認証サーバ１０と移動体通信網２０を介して通信可能な携帯電話機（通信端末）３０及び他の携帯電話機（他の通信端末）４０と、これら認証サーバ１０、携帯電話機３０及び他の携帯電話機４０と通信可能であるデータ預かりサーバ５０とを備えている。
【００２５】
認証サーバ１０は、データ預かりサーバ５０が提供するデータ預かりサービスを各携帯電話機が利用する際に、一定条件下で当該携帯電話機によるサービスの利用を認証する。データ預かりサーバ５０は、各携帯電話機で登録された電話帳データや各携帯電話機の設定情報などを格納し、携帯電話機からの要求に応じてそれらのデータを当該携帯電話機に提供する。携帯電話機３０及び他の携帯電話機４０は、それぞれ、電話番号が格納されたＳＩＭカードを備えており、データ預かりサービスを利用することで各種データをサーバに格納できるとともに、格納されたデータをそのサーバから取得可能である。なお、本実施形態では、携帯電話機３０はデータ預かりサービスを利用するために認証サーバ１０の認証を求めるものであり、他の携帯電話機４０は、必要に応じて、携帯電話機３０によるデータ預かりサービスの利用（認証サーバ１０から携帯電話機３０へのパスワード要求）を許可又は拒否するものである。この際、他の携帯電話機４０は、認証サーバ１０と通信を行う。
【００２６】
なお、図１では、携帯電話機を二機のみ示したが、認証システム１に含まれる携帯電話機３０及び他の携帯電話機４０の台数は限定されない。
【００２７】
次に、図２用いて認証サーバ１０の機能構成を説明する。図２は、図１に示される認証サーバ１０の機能構成を示す図である。
【００２８】
認証サーバ１０は、機能的構成要素として受信部（識別情報受信手段、パスワード受信手段、回答受信手段及び位置情報受信手段）１１、格納部（格納手段）１２、判定部（判定手段）１３、決定部（決定手段）１４、送信部（パスワード要求手段、問合せ手段及び位置情報送信手段）１５及び許諾部（許諾手段）１６を備えている。すなわち、受信部１１、決定部１４、送信部１５及び許諾部１６は、認証手段としても機能する。
【００２９】
受信部１１は、携帯電話機３０又は他の携帯電話機４０からのデータを受信し、受信したデータの種類に応じて、そのデータを他の構成要素に出力する部分である。具体的には、受信部１１は、登録要求を格納部１２に、利用要求を判定部１３に、位置情報及び回答通知を決定部１４に、そしてパスワード通知を許諾部１６に、それぞれ出力する。なお、受信部１１が受信する登録要求、利用要求、位置情報、回答通知及びパスワード通知の詳細は後述する。
【００３０】
格納部１２は、受信部１１から入力された登録要求の内容を格納する部分である。登録要求は、携帯電話機の利用者を識別するための電話番号（利用者識別情報）と、携帯電話機を個別に識別するための製造番号（端末識別情報）と、各携帯電話機がデータ預かりサービスを利用するための第１〜第３のパスワード（所定のパスワード、第１の別パスワード及び第２の別パスワードからなる複数種類のパスワード）とを含むデータである。格納部１２は、登録要求に含まれているこれらのデータを対応付けて格納する。なお、登録要求の格納は、携帯電話機がデータ預かりサービスに登録したときやパスワードの変更をしたときなどに行われる。図３は、格納部１２に格納されるデータの例である。この図では、例えば、電話番号「０３−１１１１−２２２２」、製造番号「１２３４５６７８９」、第１のパスワード（所定のパスワード）「１２３４」、第２のパスワード（第１の別パスワード）「５６７８」及び第３のパスワード（第２の別パスワード）「９０１２」が対応付けられて格納されている。
【００３１】
なお、複数のパスワードの登録又は更新を受け付ける際に、各パスワードの複雑度を互いに異ならせてもよい。例えば、第１のパスワードは４文字以上を条件とする一方で第２及び第３のパスワードは８文字以上を条件とすることで、第２及び第３のパスワードの複雑度を第１のパスワードより上げてもよい。また、第１のパスワードは数字だけでもよいとする一方で、第２及び第３のパスワードは英数字を必ず含めることを条件としてもよい。もちろん、第１のパスワードの複雑度を第２及び第３のパスワードよりも上げたり、第２のパスワードと第３のパスワードとで複雑度を変えたりしてもよい。このように、複数のパスワード間で複雑度を変えることで、認証の厳格度に応じたパスワード設定が実施可能となる。その結果、携帯電話機３０がデータ預かりサービスを利用する際のセキュリティをより高めることができる。
【００３２】
判定部１３は、受信部１１から入力された利用要求と格納部１２に格納されているデータとを比較してそれらの一致度を判定し、判定結果を決定部１４に出力する部分である。ここで、利用要求は、電話番号及び製造番号を含むデータである。
【００３３】
判定部１３は、電話番号及び製造番号の一致度を判定する。具体的には、判定部１３は、以下の四種類のうち一の判定結果を決定部１４に出力する。
Ａ．入力された電話番号及び製造番号の組合せが格納部１２に格納されている（以下、判定Ａという）。
Ｂ．入力された電話番号が格納部１２に格納されているものと一致し、且つ入力された製造番号と対応する別の電話番号が格納部１２に格納されていない（以下、判定Ｂという）。
Ｃ．入力された製造番号と対応し、且つ入力された電話番号とは異なる電話番号（別の電話番号）が格納部１２に格納されている（以下、判定Ｃという）。
Ｄ．入力された電話番号及び製造番号のいずれも格納部１２に格納されていない（以下、判定Ｄという）。
【００３４】
なお、判定Ａは、携帯電話機３０の使用者がデータ預かりサービスに登録したときの電話番号及び製造番号を含む利用要求が当該携帯電話機３０から送信されてきた場合に出される判定である。したがって、通常の利用であればこの判定Ａが導出される。これに対し、判定Ｂ及びＣは、利用要求に含まれる電話番号及び製造番号の組合せがサービス登録時のものとは異なる場合に出される判定である。例えば、サービス契約者が携帯電話機の機種変更を行った後にデータ預かりサービスを利用しようとする場合には判定Ｂが導出される。これに対し、判定Ｃは、ＳＩＭカードの破損・紛失・盗難・譲渡などが発生した場合に導出される可能性がある。また、判定Ｄは、携帯電話機３０がデータ預かりサービス未契約の電話番号及び製造番号を用いてデータ預かりサーバ５０に接続しようとするときに導出される。
【００３５】
格納部１２に図３に示されるデータが格納されていることを前提に、判定の具体例を示す。例えば、電話番号「０３−１１１１−２２２２」及び製造番号「１２３４５６７８９」を含む利用要求が入力された場合、判定部１３は、判定Ａを示す判定結果を出力する。また、電話番号「０３−１１１１−２２２２」及び製造番号「９８７６５４３２１」が入力された場合、判定部１３は、判定Ｂを示す判定結果を出力する。更に、電話番号「０３−１１１１−２２２２」及び製造番号「２２３４５６７８９」が入力された場合には、判定Ｃを示す判定結果が出力され、電話番号「０３−８８８８−９９９９」及び製造番号「９８７６５４３２１」が入力された場合には、判定Ｄを示す判定結果が出力される。
【００３６】
決定部１４は、判定部１３から入力された判定結果に基づいて携帯電話機３０に要求するパスワードを決定するとともに、携帯電話機３０の位置情報を他の携帯電話機４０に送信するか否かを決定する部分である。そして、決定部１４は、これらの決定に基づいてパスワード要求又は位置要求を生成し送信部１５に出力する。
【００３７】
具体的には、決定部１４は、入力された判定結果が判定Ａを示す場合には第１のパスワードを、判定Ｂを示す場合には第２のパスワードを、それぞれ要求することを決定する。そして、決定部１４は、第１又は第２のパスワードを要求することを示すパスワード要求を生成して送信部１５に出力する。
【００３８】
これらに対し、判定結果が判定Ｃを示す場合、決定部１４は、第３のパスワードを要求することを決定する。この場合、決定部１４は、受信された製造番号と対応する電話番号（別の電話番号）を抽出する。そして、決定部１４は、抽出された電話番号を有する他の携帯電話機４０に対して第３のパスワードの要求を許可するか否かを問い合わせるための問合せ通知を生成し送信部１５に出力する。加えて、決定部１４は、携帯電話機３０の位置情報を取得するための位置要求を生成し送信部１５に出力する。そして、決定部１４は、他の携帯電話機４０から回答通知を取得するまで、携帯電話機３０に第３のパスワードを要求することを保留する。
【００３９】
その後、決定部１４は、受信部１１から入力された位置情報を他の携帯電話機４０に送信するための位置通知を生成し送信部１５に出力する。また、決定部１４は、受信部１１から入力された回答通知が第３のパスワードの要求を許可することを示すものである場合に、第３のパスワードを要求することを示すパスワード要求を生成して送信部１５に出力する。一方、回答通知がパスワード要求を禁止することを示す場合には、決定部１４は、携帯電話機３０のデータ預かりサーバ５０への接続を禁止させるための不許諾信号を許諾部１６に出力する。
【００４０】
また、入力された判定結果が判定Ｄを示す場合、決定部１４は、携帯電話機３０とデータ預かりサーバ５０との接続を禁止することを決定し、不許諾信号を許諾部１６に出力する。
【００４１】
送信部１５は、他の構成要素から入力されたデータを送信する部分である。具体的には、送信部１５は、決定部１４から入力されたパスワード要求及び位置要求を携帯電話機３０に送信し、同様に入力された問合せ通知及び位置通知を他の携帯電話機４０に送信する。
【００４２】
許諾部１６は、受信部１１から入力されたパスワード通知に含まれるパスワードが要求されたパスワードと一致するか否かを判定し、両者が一致する場合に携帯電話機３０によるデータ預かりサービスの利用を許諾する部分である。言い換えれば、許諾部１６は、携帯電話機３０による当該サービスの利用を最終的に認証する部分である。なお、後述するように、受信部１１から入力されるパスワード通知には電話番号が対応付けられている。そのため、許諾部１６は、その電話番号を条件に格納部１２を検索して当該電話番号と対応する第１〜第３のパスワードのうちの一のパスワード（要求されたパスワード）を取得し、そのパスワードと入力されたパスワードとを比較することでサービスの利用を許諾するか否かを判定する。
【００４３】
そして、これらパスワードが一致した場合、許諾部１６は、携帯電話機３０とデータ預かりサーバ５０との接続を許諾することを示す許諾通知を生成して携帯電話機３０に送信する。一方、それらパスワードが一致しない場合、許諾部１６は、携帯電話機３０のデータ預かりサーバ５０への接続を拒否することを示す不許諾通知を生成して携帯電話機３０に送信する。また、許諾部１６は、決定部１４から不許諾信号が入力された場合にも不許諾通知の生成及び送信を行う。
【００４４】
次に、図４を用いて、図１に示す携帯電話機３０の機能構成を説明する。図４は、携帯電話機３０の機能構成を示す図である。
【００４５】
携帯電話機３０は、機能的構成要素として電話番号格納部３１、製造番号格納部３２、要求生成部３３、送信部（識別情報送信手段及びパスワード送信手段）３４、受信部３５、受付部（受付手段）３６、位置取得部３７及び許諾取得部（認証取得手段）３８を備えている。
【００４６】
電話番号格納部３１は、携帯電話機の利用者を識別するための電話番号を格納する部分である。この電話番号格納部３１は、ＳＩＭカード（図示せず）に実装されることで、携帯電話機３０本体に着脱可能となっている。
【００４７】
製造番号格納部３２は、携帯電話機３０を個別に識別するための製造番号を格納する部分であり、電話機本体に実装されている。
【００４８】
要求生成部３３は、データ預かりサービスを利用するために操作部（図示せず）を介して入力された指示に基づいて、電話番号及び製造番号を含む利用要求を生成して送信部３４に出力する部分である。このために、要求生成部３３は、電話番号格納部３１及び製造番号格納部３２から電話番号及び製造番号をそれぞれ取得する。
【００４９】
送信部３４は、携帯電話機３０の他の構成要素から入力されたデータを認証サーバ１０に送信する部分である。具体的には、送信部３４は、要求生成部３３から入力された利用要求、受付部３６から入力されたパスワード通知、及び位置取得部３７から入力された位置情報を送信する。なお、位置情報とパスワード通知の詳細は後述する。
【００５０】
受信部３５は、認証サーバ１０から移動体通信網２０を介して送信されてきたデータを受信して他の構成要素に出力する部分である。具体的には、受信部３５は、パスワード要求を受付部３６に、位置要求を位置取得部３７に、許諾通知を許諾取得部３８に、それぞれ出力する。
【００５１】
受付部３６は、受信部３５から入力されたパスワード要求に基づいて、第１〜第３のパスワードのうち一のパスワードの入力を受け付けるとともに、電話番号格納部３１から電話番号を取得する。そして、受付部３６は、操作部（図示せず）を介して入力されたパスワードと取得した電話番号とを対応付けてパスワード通知を生成し、そのパスワード通知を送信部３４に出力する。
【００５２】
位置取得部３７は、受信部３５から位置要求が入力されたときに、ＧＰＳ（Global Positioning System、全地球測位システム）（図示せず）を用いて自機の現在位置（緯度経度）を測定し、取得された緯度経度を位置情報として送信部３４に出力する。なお、自機の現在位置の取得手段はＧＰＳに限られず、位置取得部３７が、移動体通信網２０内の基地局（図示せず）からの信号に基づくエリア情報（例えば「六本木エリア」など）を位置情報として出力してもよい。
【００５３】
許諾取得部３８は、受信部３５から入力された許諾通知を取得することでデータ預かりサーバ５０との接続を確立する部分である。これにより、携帯電話機３０の利用者は、データ預かりサービスを利用することができる。なお、受信部３５が不許諾通知を受信した場合には、携帯電話機３０とデータ預かりサーバ５０との接続が拒否されるが、不許諾通知の処理は許諾取得部３８で行われてもよいし、他の構成要素（図示せず）で実行されてもよい。
【００５４】
次に、図５を用いて、図１に示す他の携帯電話機４０の機能構成を説明する。図５は、他の携帯電話機４０の機能構成を示す図である。
【００５５】
他の携帯電話機４０は、機能的構成要素として受信部４１、位置表示部４２、受付部４３及び送信部４４を備えている。
【００５６】
受信部４１は、認証サーバ１０から移動体通信網２０を介して送信されてきたデータを受信して他の構成要素に出力する部分である。具体的には、受信部４１は、携帯電話機３０の位置情報を位置表示部４２に出力し、問合せ通知を受付部４３に出力する。
【００５７】
位置表示部４２は、受信部４１から入力された位置情報を液晶ディスプレイ（図示せず）などの表示装置に出力する。
【００５８】
受付部４３は、受信部４１から入力された問合せ通知に基づいて、携帯電話機３０に第３のパスワードを要求するか否かの回答の入力を受け付ける部分である。そして、受付部４３は、操作部（図示せず）を介して入力された回答に基づいて回答通知を生成し送信部１５に出力する。
【００５９】
送信部４４は、受付部４３から入力された回答通知を認証サーバ１０に送信する部分である。
【００６０】
次に、図６〜９を用いて、図１に示す認証システム１の処理を説明するとともに本実施形態に係る認証方法について説明する。図６は、判定部１３において判定Ａ又はＢが導出された場合の処理を示すシーケンス図である。図７及び８は判定Ｃが導出された場合の処理を示すシーケンス図であり、図７は、他の携帯電話機４０が第３のパスワード要求を許可した場合を、図８は当該要求を他の携帯電話機４０が拒否した場合を、それぞれ示す。
【００６１】
まず、図６を用いて説明する。図６に示される処理のうち、ステップＳ１０１及びＳ１０２は、携帯電話機３０が初めてデータ預かりサービスを利用するときに行うものである。この際、携帯電話機３０から認証サーバ１０に登録要求が送信され（ステップＳ１０１）、認証サーバ１０において、その登録要求から電話番号、製造番号及び第１〜第３のパスワードが抽出され、格納部１２により格納される（ステップＳ１０２、格納ステップ）。
【００６２】
その後、その携帯電話機３０がデータ預かりサービスを利用する際には、まず携帯電話機３０からの利用要求を認証サーバ１０が受信する（ステップＳ１０３、識別情報受信ステップ）。そして、認証サーバ１０において、その利用要求から電話番号及び製造番号が抽出され、これら番号と格納部１２に格納されている電話番号及び製造番号との一致度が判定される（ステップＳ１０４、判定ステップ）。ここで判定Ａ又はＢを示す判定結果が導出された場合、その判定結果に従って携帯電話機３０に要求するパスワードが決定され（ステップＳ１０５、決定ステップ）、第１又は第２のパスワードを要求するためのパスワード要求が携帯電話機３０に送信される（ステップＳ１０６、パスワード要求ステップ）。パスワード要求を受信した携帯電話機３０では、パスワードの入力が受け付けられ（ステップＳ１０７）、受け付けられたパスワードを含むパスワード通知が認証サーバ１０に送信される（ステップＳ１０８）。
【００６３】
そして、認証サーバ１０によりそのパスワード通知が受信され（パスワード受信ステップ）、その後パスワードが一致するか否かが判定される（ステップＳ１０９、許諾ステップ）。そして、その判定結果に基づいて許諾通知又は不許諾通知が携帯電話機３０に送信される（ステップＳ１１０、許諾ステップ）。携帯電話機３０が許諾通知を受信した場合には（ステップＳ１１１；ＹＥＳ）には、携帯電話機３０とデータ預かりサーバ５０とが接続され、携帯電話機３０がデータ預かりサービスを利用することが可能になる（ステップＳ１１２）。これに対し、携帯電話機３０が不許諾通知を受信した場合には（ステップＳ１１１；ＮＯ）、処理が終了する。
【００６４】
次に、図７及び８を用いて説明する。なお、登録要求に基づく処理は省略する。まず、携帯電話機３０からの利用要求を認証サーバ１０が受信し（ステップＳ２０１、識別情報受信ステップ）、認証サーバ１０で電話番号及び製造番号の一致度が判定される（ステップＳ２０２、判定ステップ）。ここで判定Ｃを示す判定結果が導出された場合、携帯電話機３０に位置要求が送信され受信された製造番号と対応する別の電話番号が抽出される（ステップＳ２０３）。
【００６５】
この際、認証サーバ１０から携帯電話機３０に位置要求が送信され（ステップＳ２０４）、携帯電話機３０の現在位置が取得され（ステップＳ２０５）、その現在位置が位置情報として認証サーバ１０経由で他の携帯電話機４０に送信される（ステップＳ２０６）。
【００６６】
そして、上記ステップＳ２０３の処理で抽出された別の電話番号を有する他の携帯電話機４０に問合せ通知が送信される（ステップＳ２０７）。他の携帯電話機４０では、問合せ通知に対する回答の入力が受け付けられ（ステップＳ２０８）、回答通知が認証サーバ１０に送信される（ステップＳ２０９）。ここで、その回答通知が第３のパスワードの要求を許可するものである場合、認証サーバ１０から携帯電話機３０にパスワード要求が送信される（ステップＳ２１０、パスワード要求ステップ）。ステップＳ２１１〜Ｓ２１６の処理は、図７におけるステップＳ１０７〜Ｓ１１２の処理と同様である。
【００６７】
一方、他の携帯電話機４０から送信された回答通知が第３のパスワードの要求を拒否するものである場合は、図８に示すように、認証サーバ１０から携帯電話機３０に不許諾通知が送信され（ステップＳ２２１）、処理が終了する（ステップＳ２２２）。この場合、携帯電話機３０は、データ預かりサービスを利用することはできない。
【００６８】
図９は、図６〜８に示される番号の一致度の判定処理（判定ステップ）、及び要求パスワードの決定処理（決定ステップ）を詳細に示したフローチャートである。以下、これらの処理について説明する。
【００６９】
まず、受信された利用要求から電話番号及び製造番号が抽出され（ステップＳ３０１）、これらの番号と格納部１２に格納されている電話番号及び製造番号とが比較される。ここで、抽出された電話番号及び製造番号の組合せが格納部１２に存在する場合は（ステップＳ３０２；ＹＥＳ）、第１のパスワードを要求することが決定される（ステップＳ３０３）。
【００７０】
これに対し、そのような組合せが存在しない場合には（ステップＳ３０２；ＮＯ）、抽出された電話番号と一致する電話番号が格納部１２に格納されているか否かが検査され（ステップＳ３０４）、一致する電話番号が存在する場合には（ステップＳ３０４；ＹＥＳ）、更に、抽出された製造番号と対応する別の電話番号が存在するか否かが検査される（ステップＳ３０５）。ここで、このような別の電話番号が存在するということは（ステップＳ３０５；ＹＥＳ）、上記判定Ｃに該当することを意味するから、第３のパスワードを要求することが決定され（ステップＳ３０６）、その後他の携帯電話機４０への問合せ等の処理が行われる。これに対し、上記別の電話番号が存在しない場合には（ステップＳ３０５；ＮＯ）、第２のパスワードを要求することが決定される（ステップＳ３０７）。
【００７１】
一方、抽出された電話番号が格納部１２に存在しない場合は（ステップＳ３０４；ＮＯ）、抽出された製造番号と一致する製造番号が格納部１２に格納されているか否かが検査される（ステップＳ３０８）。そして、一致する製造番号が存在する場合、すなわち抽出された製造番号と対応する別の電話番号が存在する場合には（ステップＳ３０８；ＹＥＳ）、第３のパスワードを要求することが決定される（ステップＳ３０９）。これに対し、製造番号も一致しない場合（ステップＳ３０８；ＮＯ）、すなわち上記判定Ｄに該当する場合は、携帯電話機３０とデータ預かりサーバ５０との接続の禁止が決定される（ステップＳ３１０）。
【００７２】
以上説明したように、本実施形態によれば、データ預かりサービスを利用しようとする携帯電話機３０から送信されてきた電話番号及び製造番号と、予め認証サーバ１０に格納されているこれらの番号とが比較され、電話番号及び製造番号の一致度が判定される。そして、判定された一致度に基づいて、携帯電話機３０によるデータ預かりサービスの利用が認証される。このように、認証の際に、電話番号と製造番号の一致度を考慮することで、サービスを利用しようとする携帯電話機３０の構成に応じた認証が可能になる。すなわち、電話番号を有するＳＩＭカードと製造番号を有する電話機本体との組み合わせに応じた複数種類の認証を行うことができる。その結果、携帯電話機３０が移動体通信網２０を介してサービスを利用する際のセキュリティをより高めることが可能になる。また、複数種類の認証が行えることで、その認証に対応したサービスを提供することも可能になる。
【００７３】
また、本実施形態によれば、判定された電話番号及び製造番号の一致度に基づいて第１〜第３のパスワードのうち一のパスワードが選択されて携帯電話機３０に対して要求される。その後、その要求に応じて携帯電話機３０からパスワードが送信されてくると、そのパスワードと要求したパスワードとが比較され、両パスワードが一致した場合に、携帯電話機３０によるサービスの利用が許諾される。このように、認証の際にパスワードを要求することで、携帯電話機３０が移動体通信網２０を介してサービスを利用する際のセキュリティをより高めることが可能になる。また、電話番号と製造番号の一致度に基づいて、要求されるパスワードが決まるので、認証の難易度を変更することができる。その結果、そのセキュリティをより高めることが可能になる。
【００７４】
また、本実施形態によれば、受信された製造番号と対応し、且つ受信された電話番号とは異なる別の電話番号が格納部１２に存在する場合に、当該別の電話番号を有する他の携帯電話機４０に対して、第３のパスワードの要求を許可するか否かの問合せが行われる。その後、認証サーバ１０が第３のパスワードの要求を許可することを示す回答通知を受信した場合に、第３のパスワードが携帯電話機３０に対して要求される。これにより、ある利用者が他人（サービス契約者）が契約したサービスを利用しようとする場合に、当該サービス契約者の電話番号（別の電話番号）に基づいて当該サービス契約者への問合せが行われる。そのため、そのサービス契約者は、契約したサービスが第三者に利用されようとしていることを認識できる。また、そのサービス契約者が第３のパスワードの要求を許可しなければ、サービスを利用しようとする携帯電話機３０に対して第３のパスワードは要求されない。そのため、第三者によるサービスの利用をより確実に防止できる。その結果、携帯電話機３０が移動体通信網２０を介してサービスを利用する際のセキュリティを更に高めることが可能になる。
【００７５】
また、本実施形態によれば、サービスを利用しようとする携帯電話機３０の位置情報が認証サーバ１０を介して他の携帯電話機４０に送信される。これにより、他の携帯電話機４０の保持者、すなわち、契約したサービスを第三者に利用されようとしているサービス契約者は、当該第三者の所在を知ることができるとともに、当該第三者を追跡する等の対策を行うことが可能となる。その結果、携帯電話機３０が移動体通信網２０を介してサービスを利用する際のセキュリティを更に高めることが可能になる。
【００７６】
以上、本発明をその実施形態に基づいて詳細に説明した。しかし、本発明は上記実施形態に限定されるものではない。本発明は、その要旨を逸脱しない範囲で以下のような様々な変形が可能である。
【００７７】
上記実施形態では、決定部１４が、受信された電話番号及び製造番号の組合せが格納部１２に格納されている場合（判定Ａの場合）に、第１のパスワードを携帯電話機３０に要求することを決定したが、この場合に認証サーバ１０が第１のパスワードを要求することなくすぐにサービスの利用を許諾してもよい。具体的には、まず、判定Ａを示す判定結果を取得した決定部１４が、携帯電話機３０によるデータ預かりサービスの利用を許諾することを決定し、許諾信号を許諾部１６に出力する。そして、許諾部１６が、その許諾信号に基づいて、携帯電話機３０とデータ預かりサーバ５０との接続を許諾することを示す許諾通知を生成して携帯電話機３０に送信する。
【００７８】
このような変形例によれば、携帯電話機３０から送信されてきた電話番号及び製造番号の組合せが格納部１２に格納されているものと一致する場合に、利用者は、携帯電話機３０でのパスワード入力を介することなくすぐにサービスを利用することができる。そのため、サービスの利便性が向上するとともに、認証サーバ１０をより簡易に構成することが可能になる。
【００７９】
また、上記実施形態では、携帯電話機３０自身が自機の現在位置を取得して位置情報を生成し、その位置情報を認証サーバ１０に送信したが、位置情報の取得方法はこれに限定されない。例えば、認証サーバ１０が移動体通信網２０内の基地局（図示せず）から取得したデータに基づいて携帯電話機３０の所在エリア（例えば「六本木エリア」など）を取得し、それを位置情報として使用してもよい。これにより、移動体通信網２０と携帯電話機３０との間の通信が削減されるので、移動体通信網２０及び携帯電話機３０の処理を軽減することができる。
【００８０】
また、上記実施形態では、第３のパスワードを要求すると決定された後に認証サーバ１０が携帯電話機３０の現在位置（位置情報）を取得したが、位置情報を取得する時期はこれに限定されない。例えば、携帯電話機３０から送信される利用要求に位置情報を含ませるように認証システム１を構成してもよい。これにより、認証サーバ１０において位置情報を要求するか否かを判断する必要がなくなるため、認証サーバ１０における処理をより簡易にすることができる。
【００８１】
また、上記実施形態では、認証のために、電話番号及び製造番号の一致度に基づいて第１〜第３のパスワードを用意したが、用意するパスワードの種類はこれに限定されない。例えば、利用要求に含まれる電話番号及び製造番号の組合せが格納部１２に存在する場合には第１のパスワードを要求し、その組合せが格納部１２に存在しない場合には第２のパスワードを要求するようにしてもよい。また、要求するパスワードの種類をより増やすことも考えられる。
【００８２】
また、上記実施形態では、利用者識別情報として電話番号を用い、端末識別情報として製造番号を用いたが、これら識別情報に他の識別子を当ててもよい。例えば、利用者識別情報としてメールアドレスを用いたり、端末識別情報としてシリアルナンバーを用いたりすることが考えられる。
【００８３】
また、上記実施形態では、携帯電話機３０がデータ預かりサーバ５０に接続した後に提供されるサービスの内容を具体的に限定していないが、認証時に用いたパスワードに基づいて所定の処理を実行するように認証システム１を構成してもよい。例えば、第２のパスワードによる認証が実行された場合（機種変更などの場合）には、データ預かりサーバ５０が携帯電話機３０に自動的に電話帳データなどを送信し、それ以外のパスワードにより認証が行われた場合にはデータ預かりサーバ５０が自動実行を行わないようにシステムを構成してもよい。
【００８４】
また、上記実施形態では、認証サーバ１０が電話番号及び製造番号の一致度に基づいて携帯電話機３０にパスワードを要求し、その要求に応じて送信されてきたパスワードに基づいて認証したが、認証方法はこれに限定されない。例えば、認証サーバ１０が、受信した電話番号及び製造番号の一致度に基づいて、パスワードを要求することなくすぐに認証を行ってもよい。この場合、受信された電話番号及び製造番号の組合せが格納部１２に格納されている場合には、認証サーバ１０がデータ預かりサービスの全部の利用を認証することが考えられる。また、受信された電話番号及び製造番号のうち一方のみが、格納されているものと一致する場合には、認証サーバ１０がデータ預かりサービスの一部の利用を認証することも考えられる。更に、認証サーバ１０が、電話番号及び製造番号の一致度に基づいて、パスワード要求の要否を判定してもよい。
【００８５】
また、上記実施形態では、データ預かりサーバ５０が携帯電話機３０にサービスを提供したが、携帯電話機３０に提供されるサービスの種類は限定されない。また、認証サーバ１０の機能とサービス提供の機能とを一台のサーバに実装してもよい。
【００８６】
また、上記実施形態では、通信端末として携帯電話機３０を用いたが、簡易型携帯電話機（ＰＨＳ：Personal Handy-phone System）、あるいは、携帯型情報端末（ＰＤＡ：Personal Digital Assistant）などを通信端末として利用してもよい。また、ノート型やデスクトップ型のパーソナルコンピュータを通信端末として利用してもよい。
【図面の簡単な説明】
【００８７】
【図１】実施形態に係る認証システムの全体構成を示す図である。
【図２】図１に示される認証サーバの機能構成を示す図である。
【図３】格納部に格納されるデータの例である。
【図４】図１に示される携帯電話機の機能構成を示す図である。
【図５】図１に示される他の携帯電話機の機能構成を示す図である。
【図６】図１に示す認証システムの処理を示すシーケンス図である。
【図７】図１に示す認証システムの処理を示すシーケンス図である。
【図８】図１に示す認証システムの処理を示すシーケンス図である。
【図９】図６〜８に示される番号の一致度の判定処理、及び要求パスワードの決定処理を示すフローチャートである。
【符号の説明】
【００８８】
１…認証システム、１０…認証サーバ、１１…受信部（識別情報受信手段、パスワード受信手段、回答受信手段及び位置情報受信手段）、１２…格納部（格納手段）、１３…判定部（判定手段）、１４…決定部（決定手段）、１５…送信部（パスワード要求手段、問合せ手段及び位置情報送信手段）、１６…許諾部（許諾手段）、３０…携帯電話機（通信端末）、３４…送信部（識別情報送信手段及びパスワード送信手段）、３６…受付部（受付手段）、３８…許諾取得部（認証取得手段）４０…他の携帯電話機（他の通信端末）。
【図１】
2008225790.tif 000003
【図２】
2008225790.tif 000004
【図３】
2008225790.tif 000005
【図４】
2008225790.tif 000006
【図５】
2008225790.tif 000007
【図６】
2008225790.tif 000008
【図７】
2008225790.tif 000009
【図８】
2008225790.tif 000010
【図９】
2008225790.tif 000011